(57)【要約】【課題】２段階スイッチを用いることによって、１つのキーの押下動作だけで、「決定」または「キャンセル」の機能を選択可能とした電話機を提供する。【解決手段】２段階スイッチを押下すると、まず、第１段階スイッチストッパ４と検出部６が接触する。その後、スイッチ押下を止める（スイッチを開放する）と、２段階スイッチは、元に戻り、システム制御部１６は、「決定」処理を実行する。また、２段階スイッチが、第１段階まで押下された状態から、さらに、押下され、検出部６が、第２段階スイッチストッパ５と接触したことを検出すると、システム制御部１６は、「キャンセル」処理を実行する。【選択図】        図２
2004362316.tif 000002
【特許請求の範囲】
【請求項１】
複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に上下方向に間隔を置いて設けられた２つの被検出部材と、固定部材に配設され、前記可動部材が押下された時に前記被検出部材の位置を検出する検出部とを有し、前記電話機は、前記検出部が下側の被検出部材のみを検出した時に、第１の処理を実行し、前記検出部が下側の被検出部材と上側の被検出部材とを検出した時に、第２の処理を実行することを特徴とする電話機。
【請求項２】
前記電話機は、前記検出部が下側の被検出部材を検出したことを記憶する記憶部を有し、前記検出部が下側の被検出部材を引き続き検出した時に、前記いずれの処理も実行していないことを表示するようにしたことを特徴とする請求項１に記載の電話機。
【請求項３】
複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に設けられた１つの被検出部材と、固定部材に上下方向に間隔を置いて配設され、前記可動部材が押下された時に前記被検出部材の位置を検出する２つの検出部を有し、前記電話機は、上側の検出部のみが前記被検出部材を検出した時に、第１の処理を実行し、上側の検出部と下側の検出部とが、前記被検出部材を検出した時に、第２の処理を実行することを特徴とする電話機。
【請求項４】
前記電話機は、上側の検出部が前記被検出部材を検出したことを記憶する記憶部を有し、上側の検出部が前記被検出部材を引き続き検出した時に、前記いずれの処理も実行していないことを表示するようにしたことを特徴とする請求項３に記載の電話機。
【請求項５】
前記第１の処理は、決定の処理であり、前記第２の処理は、キャンセルの処理であることを特徴とする請求項１乃至４のいずれかに記載の電話機。
【請求項６】
複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に上下方向に間隔を置いて設けられた２つの被検出部材と、固定部材に配設され、前記可動部材が押下された時に前記被検出部材の位置を検出する検出部とを有し、前記電話機は、前記機能キーが押下され、前記検出部が、下側の被検出部材を検出した時に、第１の処理を実行し、次いで、上側の被検出部材を検出した時に、第２の処理を実行することを特徴とする電話機。
【請求項７】
複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に設けられた１つの被検出部材と、固定部材に上下方向に間隔を置いて配設され、前記可動部材が押下された時に前記被検出部材の位置を検出する２つの検出部を有し、該電話機は、前記機能キーが押下され、上側の検出部が前記被検出部材を検出した時に、第１の処理を実行し、次いで、下側の検出部が前記被検出部材を検出した時に、第２の処理を実行することを特徴とする電話機。
【請求項８】
前記機能キーは、十字キー中央部に配設されていることを特徴とする請求項１ないし７のいずれかに記載の電話機。
【発明の詳細な説明】
【０００１】
【発明の属する技術分野】
本発明は、電話機に関し、より詳細には、２段階スイッチを用いて、１つの機能キー操作により、迅速かつ確実に、決定処理あるいはキャンセル処理を選択できる電話機に関する。
【０００２】
【従来の技術】
近年、電話機、特に、携帯電話機やＰＨＳ等の多機能化に伴い、これらの機能を操作するために必要なキーの数は増えている。しかし、キーを配置するスペースは、片手で電話機を持ったまま操作する指の届く範囲という条件から、限定されており、キーの数の増加に伴い、空きスペースは少なくなり、片手操作により使用できるキーの数は、限界に近づきつつある。
【０００３】
キー操作により入力されたデータの処理を実行する「決定」あるいは入力されたデータの処理の取消しを実行する「キャンセル」といった排他的な機能、つまり、どちらかの機能を選択する場合、従来技術では、「決定」を実行する「決定」キーと「キャンセル」を実行する「キャンセル」キーとを別々に用意し、各キーに処理の実行を割り当てていた。例えば、「決定」キーは、十字キーの真中の機能キーが割当てられ、片手で電話機をもった状態で操作できるようになっている。「キャンセル」キーも片手で電話機を持ったまま操作できるが、「決定」キーとは別に用意しなければならず、小型化やコスト低減の阻害要因の一つとなっていた。
【０００４】
キーの数を減らすために、１つのキーに２つの機能を持たせ、押下された時に第１の機能を実行し、さらに押下された時に第２の機能を実行するいわゆる２段階スイッチが提案されている。この２段階スイッチは、例えば、特開平６−２２３５９号公報（電話情報処理システム）に記載されているように、回線補足情報の登録と、その後に続くダイヤル処理情報の登録というような、２種類の登録を１つのスイッチ（２段階スイッチ）で順次行なうような場合に使用されている（例えば、特許文献１参照）。
【０００５】
その他にも、例えば、特開昭６１−２０６３２３号公報（無線通信機）に記載されているように、回路の切り替えと、その後の、送信出力の切り替えというような、２つの機能（切り替え）を連続させて行なわせる場合（例えば、特許文献２参照）、あるいは、特開昭６２−８１８６１号公報（選択動作可能電子装置）に記載されているように、選択動作の識別信号を発生させる機能と、その後の、選択動作を実行させる機能というような、２つの機能を連続させて行なわせる場合（例えば、特許文献３参照）、あるいは、特開平２−３９７５７号公報（ダイヤル数字確認機能付電話機）に記載されているように、予め記憶された各ダイヤル数字の音声を発生させる機能と、その後の、ダイヤル信号を送出させる機能というような、２つの機能を連続させて行なわせる場合（例えば、特許文献４参照）、あるいは、特開２００２−１８４２７０号公報（キーボタン付き装置）に記載されているように、選択機能の実行と、その後の、確定機能の実行というような、２つの機能を連続させて行なわせる場合（例えば、特許文献５参照）などに使用されている。
【０００６】
【特許文献１】
特開平６−２２３５９号公報（第２−４頁、第１図）
【特許文献２】
特開昭６１−２０６３２３号公報（第１、２頁、図（図面番号無し））
【特許文献３】
特開昭６２−８１８６１号公報（第２−４頁、第１図）
【特許文献４】
特開平２−３９７５７号公報（第１、２頁、第１図）
【特許文献５】
特開２００２−１８４２７０号公報（第２−４頁、第４図）
【０００７】
【発明が解決しようとする課題】
しかしながら、これら従来の２段階スイッチは、いずれも、該２段階スイッチが押下された時に、まず、第１の機能を実行し、さらに押下された時に、前記第１の機能に続く第２の機能を実行するように構成されており、該２段階スイッチが押下された時は、必ず第１の機能が実行され、さらに押下された時に、第１の機能に関連した第２の機能が実行されるもので、第１の機能と関係なく第２の機能だけを実行することができなかった。
【０００８】
本発明は、上述のごとき実情に鑑みてなされたもので、２段階スイッチにより、第１の機能と、該第１の機能とは全く関係のない第２の機能とを独立して実行できるようにして、具体的には、十字キー等の複数の操作キーを有する携帯電話機等において、該２段階スイッチは、該複数の操作キーの近傍に配設され、これら複数の操作キーによって携帯電話機に所望の情報が入力された後に、該２段階スイッチを途中まで押下した時は、第１の機能（例えば、決定）を実行し、さらに押下した時は、第１の機能（決定）とは全く関係のない第２の機能（例えば、キャンセル）を実行できるようにしてなされたものである。
【０００９】
また、従来の２段階スイッチと同様に、２段階スイッチが押下された時に、まず、第１の機能を実行し、さらに押下された時に、前記第１の機能に続く第２の機能を実行できるようにしてなされたものである。
【００１０】
【課題を解決するための手段】
本発明は、複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に上下方向に間隔を置いて設けられた２つの被検出部材と、固定部材に配設され、前記可動部材が押下された時に前記被検出部材の位置を検出する検出部とを有し、前記電話機は、前記検出部が下側の被検出部材のみを検出した時に、第１の処理を実行し、前記検出部が下側の被検出部材と上側の被検出部材とを検出した時に、第２の処理を実行することを特徴とする。
【００１１】
また、前記電話機は、前記検出部が下側の被検出部材を検出したことを記憶する記憶部を有し、前記検出部が下側の被検出部材を引き続き検出した時に、前記いずれの処理も実行していないことを表示するようにしたことを特徴とする。
【００１２】
また、複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に設けられた１つの被検出部材と、固定部材に上下方向に間隔を置いて配設され、前記可動部材が押下された時に前記被検出部材の位置を検出する２つの検出部を有し、前記電話機は、上側の検出部のみが前記被検出部材を検出した時に、第１の処理を実行し、上側の検出部と下側の検出部とが、前記被検出部材を検出した時に、第２の処理を実行することを特徴とする。
【００１３】
また、前記電話機は、上側の検出部が前記被検出部材を検出したことを記憶する記憶部を有し、上側の検出部が前記被検出部材を引き続き検出した時に、前記いずれの処理も実行していないことを表示するようにしたことを特徴とする。
【００１４】
また、前記第１の処理は、決定の処理であり、前記第２の処理は、キャンセルの処理であることを特徴とする。
【００１５】
また、複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に上下方向に間隔を置いて設けられた２つの被検出部材と、固定部材に配設され、前記可動部材が押下された時に前記被検出部材の位置を検出する検出部とを有し、前記電話機は、前記機能キーが押下され、前記検出部が、下側の被検出部材を検出した時に、第１の処理を実行し、次いで、上側の被検出部材を検出した時に、第２の処理を実行することを特徴とする。
【００１６】
また、複数の操作キーと該操作キーの近傍に配設された機能キーとを有し、前記操作キーにより入力されたデータの処理を、前記機能キーにより実行する電話機において、前記機能キーは、押圧により下降し、押圧の解除により上昇する可動部材と、該可動部材に設けられた１つの被検出部材と、固定部材に上下方向に間隔を置いて配設され、前記可動部材が押下された時に前記被検出部材の位置を検出する２つの検出部を有し、該電話機は、前記機能キーが押下され、上側の検出部が前記被検出部材を検出した時に、第１の処理を実行し、次いで、下側の検出部が前記被検出部材を検出した時に、第２の処理を実行することを特徴とする。
【００１７】
また、前記機能キーは、十字キー中央部に配設されていることを特徴とする。
【００１８】
【発明の実施の形態】
図１は、本発明による十字キー中央部に配設された２段階スイッチの一実施例を示す図であり、図１（Ａ）は、上から見た外観図で、２段階スイッチの２段階スイッチ釦２が、他のキーと区別するための表示「Ｆ」を付されて、十字キー１の中央部に配設されている。従来技術による携帯電話やＰＨＳ等の電話機は、カーソルの移動やメニューの選択等に用いられる十字キー１の中央部に、「決定」キーとして用いられる機能キーを有しており、この「決定」キーは、数字や文字を入力するキーや十字キー等を用いて入力されたデータに対する処理を実行するためのキーとして用いられる。ここに示した左右上下の矢印を付した十字キーは、１つの例であり、これに限定されるものではない。また、入力したデータの処理を取消すためのキーは、「決定」キーとは別に、例えば、「キャンセル」キーとして設けられている。本実施例では、機能キーに、２段階スイッチを用いることにより、１つのキーで、「決定」あるいは「キャンセル」の機能を選択して実行できるようにしたものである。また、従来技術の２段階スイッチの場合と同様に、本発明による２段階スイッチを用いることにより、２つの機能を連続実行することもできる。
【００１９】
図１（Ｂ）は、図１（Ａ）に示した十字キーと２段階スイッチを横方向から見た断面図であり、２段階スイッチが押下されていない状態を示している。十字キー１は、例えば、図１（Ａ）に示した右方向の矢印部を押下すると、接点保持部材１０が押し下げられ、接点保持部材１０により保持されている接点１０ａが、接点保持部材１１により保持されている接点１１ａと接触して、導通する。反対側の左方向の矢印部を押下すると、接点保持部材１２が押し下げられ、接点保持部材１２により保持されている接点１２ａが、接点保持部材１３により保持されている接点１３ａと接触して、導通する。上方向および下方向の矢印についても、図示していないが、同様の接点が用いられている。この十字キーの接点は、１つの例であり、これに限定されるものではない。
【００２０】
２段階スイッチ釦２は、スイッチ軸（可動部材）３に固定されており、スイッチ軸３には、第１段階スイッチストッパ（被検出部材）４および第２段階スイッチストッパ５が固定されている。スイッチ軸３は、スイッチ底に固定されたばね８により上方向に力が加えられており、２段階スイッチ釦２への押圧により下降し、押圧が解除されると上昇する。第１段階スイッチストッパ４および第２段階スイッチストッパ５は、スイッチ軸３の上下動と共に上下動して、検出部６と接触する。検出部６は、スイッチ壁（固定部材）９に固定されており、第１段階スイッチストッパ４または第２段階スイッチストッパ５が接触したことを検出する。第２段階スイッチストッパ５は、硬度の高い材料でできており、検出部６と接触すると停止する。第１段階スイッチストッパ４は、検出部６と接触すると停止するが、更に、強く押下した時に、検出部６を通過できるようにするため、柔軟性のある材料でできている。
【００２１】
図２は、本発明による２段階スイッチの一実施例の断面と周辺回路のブロック図であり、図２（Ａ）は、２段階スイッチが押下されていない初期状態を示している。検出部６は、入出力回路（図示してない）を経由して、システム制御部１６と接続されており、システム制御部１６は、検出部６が、第１段階スイッチストッパ４あるいは第２段階スイッチストッパ５との接触を検出した時に、ユーザが入力したデータを、それぞれ、第１メモリ（記憶部）１７あるいは第２メモリ１８に格納する。図２（Ａ）の状態から２段階スイッチを押下すると、まず第１段階スイッチストッパ４と検出部６が接触し、２段階スイッチが第１段階まで押下された状態、つまり、図２（Ｂ）の状態になる。この時、入力されたデータが、第１メモリ１７に格納される。
【００２２】
２段階スイッチが第１段階まで押下された状態で、押下が止められる（スイッチが開放される）と、２段階スイッチは、初期状態に戻り、システム制御部１６は、第１メモリ１７に格納されている入力されたデータに対する「決定」処理を実行し、「決定」処理が完了すると、第１メモリ１７を初期化する。２段階スイッチが初期状態に戻ったかどうかは、第１段階になった後、所定時間内に、検出部６が、第２段階スイッチストッパ５との接触を検出しなかった時に、つまり、第２段階まで押下されなかった時に、初期状態に戻ったと判断する。
【００２３】
２段階スイッチが、第１段階まで押下された状態から、更に押下されると、第２段階スイッチストッパ５は、検出部６と接触し、２段階スイッチは、第２段階まで押下された状態、つまり、図２（Ｃ）の状態になる。システム制御部１６は、検出部６が、第２段階スイッチストッパ５との接触を検出すると、入力されたデータを第１メモリ１７から読み出して第２メモリ１８に格納し、第２メモリ１８に格納したデータに対する「キャンセル」処理を実行し、「キャンセル」処理が完了すると、第１メモリ１７と第２メモリ１８を初期化する。２段階スイッチは、押下が止められる（スイッチが開放される）と、初期状態に戻る。
【００２４】
検出部６は、一般的に用いられる電気的なセンサを用いて、スイッチストッパとの接触を検出する。例えば、検出部６側に、開放された２つの電気接点を設けて、スイッチストッパにより、この２つの接点を接触させる構成とすることができる。ここでは、接触型の電気的なセンサを用いたが、光センサ等の被接触型のセンサを用いても良い。例えば、検出部から光を発光し、可動部材（スイッチ軸３）に設けた被検出部材からの反射光を光センサで観測してもよい。この場合、可動部材に設ける被検出部材としては、鏡でも良いし、白地に光を吸収する黒い横線を施したものでも良く、反射光の強弱が区別できるものであれば良い。
【００２５】
図３は、本発明による電話機の一実施例のブロック図であり、図２に対応する構成については、同一の符号を付している。２段階スイッチ２０は、入力部１５に含まれるが、図３では、取り出して記述している。入力部１５は、ユーザが数字や文字を入力するキー、カーソルを移動したりメニューを選択するための十字キー、および、入力したデータの処理を実行するための機能キー等を有し、この入力部１５から入力されたデータは、入出力回路１９を経由して、システム制御部１６に送られる。システム制御部１６は、入力されたデータを第１メモリ１７あるいは第２メモリ１８に格納し、また、入出力回路１９は、入力されたデータや処理結果を表示部１４に表示する。
【００２６】
２段階スイッチ２０内の検出部６は、２段階スイッチが第１段階まで押下された後、押圧されていた力が解除され、初期状態に戻ると、入出力回路１９にその旨を示す信号を送出する。その信号は、入出力回路１９からシステム制御部１６に伝えられ、システム制御部１６は、第１メモリ１７に格納した入力されたデータに対して「決定」の処理を行ない、「決定」の処理完了の信号を入出力回路１９に送る。入出力回路１９は、表示部１４に「決定」処理が完了したことを表示する。
【００２７】
また、検出部６は、２段階スイッチ２０が第１段階まで押下され、さらに第２段階まで押下されたことを検出すると、入出力回路１９にその旨を示す信号を送出する。その信号は、入出力回路１９からシステム制御部１６に伝えられ、システム制御部１６は、入力されたデータを第１メモリ１７から読み出して第２メモリ１８に格納し、第２メモリ１８に格納した入力されたデータに対して「キャンセル」の処理を行ない、処理完了の信号を入出力回路１９に送る。入出力回路１９は、表示部１４に「キャンセル」処理が完了したことを表示する。
【００２８】
図４は、本発明による電話機の一実施例の処理過程を示したフロチャートである。２段階スイッチが、押下されていない初期状態から（ステップＳ１）、２段階スイッチが第１段階まで押下され、検出部６が、第１段階スイッチストッパ４の接触を検知した後（ステップＳ２）、入力されたデータを第１メモリ１７に格納し（ステップＳ３）、２段階スイッチが、所定時間内に第２段階まで押下されたか否か判断する（ステップＳ４）。２段階スイッチが、所定時間内に第２段階まで押下されていない場合は、第１メモリ１７に格納した入力されたデータに対して「決定」処理を実行し（ステップＳ９）、第１メモリ１７を初期化して終了する（ステップＳ１０）。２段階スイッチが、さらに、押下され、所定時間内に第２段階スイッチストッパ５が検出部６に接触し、つまり、２段階スイッチが、第２段階まで押下されると（ステップＳ５）、入力されたデータを第１メモリ１７から読み出して第２メモリ１８に格納し（ステップＳ６）、第２メモリ１８に格納した入力されたデータに対して「キャンセル」処理を実行した後（ステップＳ７）、第１メモリ１７と第２メモリ１８を初期化して終了する（ステップＳ８）。
【００２９】
上述した実施例では、ユーザの操作が適正に行なわれ、必ず「決定」処理または「キャンセル」処理のどちらかを実行する例を示したが、ユーザの不適切なキー操作、例えば、２段階スイッチが第１段階を通過した後、第２段階に至る前に２段階スイッチが解放され、ユーザの操作が決定かキャンセルか判断できないようなことが懸念される場合は、検出部６と２段階スイッチストッパ４または２段階スイッチストッパ５との接触回数をメモリに記憶しておき、初期状態に戻った時、すなわち、２段階スイッチが第１段階に達した後所定時間が経過した時に、記憶した接触回数を確認することにより、前述したような不適切な操作があったかどうか判断し、不適切な操作があった場合は「決定」処理も「キャンセル」処理も実行しないようにできる。
【００３０】
具体的には、２段階スイッチが初期状態から押下されると、まず第１段階スイッチストッパ４と検出部６が接触し、この時、システム制御部１６は、検出部６が１回目の接触を検出したことを、第１メモリ１７に記憶する。２段階スイッチが、さらに第２段階まで押下されると、検出部６は、第２段階スイッチストッパ５が接触したことを検出し、２回目の接触があったことを、第１メモリ１７に記憶する。その後、２段階スイッチが、解放され、初期状態に戻る際、第１段階スイッチストッパ４は、再度検出部６と接触する。この時、３回目の接触があったことを、第１メモリ１７に記憶する。
【００３１】
システム制御部１６は、２段階スイッチが第１段階に達した後所定時間が経過した時に、第１メモリ１７を参照して、検出部６と第１段階スイッチストッパ４または第２段階スイッチストッパ５とが何回接触したか判断する。接触回数が１回の場合は、２段階スイッチが第１段階まで達した後、解放されたと判断して、「決定」処理を実行し、接触回数が３回の場合は、２段階スイッチが第２段階まで達した後、解放されたと判断して、「キャンセル」処理を実行する。
【００３２】
しかし、第１段階スイッチストッパ４と検出部６が接触した後、２段階スイッチが、第２段階に到達する前に、つまり、第２段階スイッチストッパ５が検出部６と接触する前に、解放されると、第１段階スイッチストッパ４は、初期状態に戻る途中で、検出部６と再度接触する。この時、２回目の接触があったことを、第１メモリ１７に記憶する。システム制御部１６は、２段階スイッチが第１段階に達した後所定時間が経過した時に、第１メモリ１７に記憶した接触回数が２回であることから、不適切な操作であったと判断し、「決定」処理も「キャンセル」処理も実行しない。接触回数が４回以上の場合も、不適切な操作があったと判断し、「決定」処理も「キャンセル」処理も実行しない。この時、表示部１４に、「決定」処理も「キャンセル」処理も実行しない旨を表示する。ユーザは、この表示を見ることにより、再試行することが出来る。
【００３３】
上述した実施例に示した検出部６は、第１段階スイッチストッパ４が接触したのか、第２段階スイッチストッパ５が接触したのかを検出できないため、システム制御部１６は、２回目以降の接触がどちらのスイッチストッパの接触であるか判断できない。そのため、不適切な操作があったか否かを、接触回数により判断したが、検出部６に２段階スイッチの移動方向を検出できるセンサを追加して、２段階スイッチの移動方向、特に検出部６との接触前後の移動方向を検出し、第１メモリ１７に記憶することにより、検出部６と第１段階スイッチストッパ４と第２段階スイッチストッパ５との位置関係を正確に把握することが出来る。位置関係が明確になると、検出部６との２回目の接触が、第１段階スイッチストッパ４によるものか、第２段階スイッチストッパ５のよるものか判断できる。
【００３４】
上述した例では、「キャンセル」処理を実行するか否かを、第１段階に達した後所定時間が経過した時に、記憶した接触回数で判断していたが、検出部６と第２段階スイッチストッパ５との位置関係が明確になると、２段階スイッチストッパ５が検出部６と接触したか否かを判断でき、２段階スイッチストッパ５が検出部６と接触した時点で、「キャンセル」処理を実行できる。移動方向を検出するためのセンサとしては、例えば、２つのセンサをスイッチ壁９に上下に並べて近接して設置することにより実現できる。
【００３５】
この場合、２段階スイッチストッパ５が検出部６と接触した時に、第１メモリ１７に記憶した接触回数を確認し、１回の場合は、「キャンセル」処理を実行し、２回以上の場合は、不適切な処理が行なわれたと判断し、「決定」処理も「キャンセル」処理も実行しない。また、２段階スイッチストッパ５が検出部６と接触せずに、２段階スイッチが第１段階に達した後所定時間が経過した時に、第１メモリ１７に記憶した接触回数を確認し、１回の場合は、「決定」処理を実行し、２回以上の場合は、不適切な操作があったと判断し、「決定」処理も「キャンセル」処理も実行しない。この時、表示部１４に、「決定」処理も「キャンセル」処理も実行しない旨を表示する。
【００３６】
また、検出部６と第１段階スイッチストッパ４との接触回数ではなく、接触があったことを第１メモリ１７に記憶しておき、引き続いて検出部６と第１段階スイッチストッパ４との接触を検出した時に、「決定」処理も「キャンセル」処理も実行しないようにしてもよい。この時も、表示部１４に、「決定」処理も「キャンセル」処理も実行しない旨を表示する。
【００３７】
また、上述した実施例では、２段階スイッチが第１段階に達した後所定時間が経過したか否かで、初期状態に戻ったか否かを判断しているが、ユーザの押下動作が遅くキー操作が所定時間内に収まらないことが想定される場合は、初期状態に戻ったことを検出するセンサを別途設けて初期状態に戻ったことを検出しても良い。
【００３８】
図５は、本発明による２段階スイッチの他の実施例の断面と周辺回路のブロック図であり、１つのスイッチストッパと２つの検出部を用いた実施例である。図２との違いは、第２段階スイッチストッパ５を無くし、検出部７を追加している。２段階スイッチが、押下されていない初期状態、つまり、図５（Ａ）の状態から、押下され、検出部６が第１段階スイッチストッパ４に相当するスイッチストッパ４ａとの接触を検出した時が、第１段階まで押下された状態、つまり、図５（Ｂ）の状態である。システム制御部１６は、２段階スイッチが、第１段階まで押下されると、入力されたデータを第１メモリ１７に格納し、２段階スイッチが、所定時間内に第２段階まで押下されない場合は、第１メモリ１７に格納した入力されたデータに対して「決定」処理を実行する。
【００３９】
２段階スイッチが、更に、押下され、検出部７がスイッチストッパ４ａとの接触を検出した時が、第２段階まで押下された状態、つまり、図５（Ｃ）の状態である。検出部７も、入出力回路（図示してない）を経由して、システム制御部１６に接続されており、検出部７が、スイッチストッパ４ａとの接触を検出すると、その旨がシステム制御部１６に知らされ、システム制御部１６は、入力されたデータを第１メモリ１７から読み出して、第２メモリ１８に格納し、格納した入力されたデータに対して「キャンセル」処理を実行する。
【００４０】
スイッチストッパ４ａは、第１段階スイッチストッパ４と同じく柔軟性のある材料でできており、検出部７と接触すると一旦停止する。更に、強く押下した時は、検出部７を通過してしまうが、２段階スイッチ釦２がスイッチ壁９から上に出ている高さあるいはスイッチ軸３の下端とスイッチ底９ａとの間隔を調整することにより２段階スイッチの下降を停止できる。
【００４１】
図５に示した実施例は、図２に示した実施例と第１段階および第２段階の検出の仕方が異なるだけであり、図５に示した実施例の処理過程は、図４に示した処理過程と同じであり、説明は省略する。
【００４２】
尚、前述したようなユーザの不適切なキー操作が懸念される場合は、検出部６とスイッチストッパ４ａとが接触回数を第１メモリ１７に記憶しておき、第１段階に達した後所定時間が経過した時に、あるいは、検出部７がスイッチストッパ４ａを検出したときに、第１メモリ１７に記憶した接触回数を確認することにより、上述したような不適切な操作があったかどうか判断し、不適切な操作があった場合は、「決定」処理も「キャンセル」処理も実行しないようにできる。
【００４３】
具体的には、初期状態から２段階スイッチを押下すると、まずスイッチストッパ４ａと検出部６が接触し、この時、システム制御部１６は、検出部６がスイッチストッパ４ａと１回目の接触を検出したことを、第１メモリ１７に記憶する。２段階スイッチが解放され、検出部７がスイッチストッパ４ａとの接触を検出せずに、２段階スイッチが第１段階に達した後所定時間が経過した時に、システム制御部１６は、第１メモリ１７を参照して、検出部６とスイッチストッパ４ａとが何回接触したか判断する。検出部６との接触が１回の場合は、２段階スイッチが第１段階まで達した後、解放されたと判断して、「決定」処理を実行する。検出部６との接触が２回以上の場合は、不適切な処理が行なわれたと判断し、「決定」処理も「キャンセル」処理も実行しない。例えば、スイッチストッパ４ａと検出部６が接触した後、２段階スイッチが第２段階に到達する前に、つまり、スイッチストッパ４ａが検出部７と接触する前に、２段階スイッチが解放され、スイッチストッパ４ａが初期状態に戻る途中で検出部６と再度接触し、システム制御部１６が、検出部６との２回目の接触を第１メモリ１７に記憶した場合などが考えられる。この時、表示部１４に、「決定」処理も「キャンセル」処理も実行しない旨を表示する。
【００４４】
２段階スイッチが、第１段階まで達した後、さらに第２段階まで押下され、検出部７がスイッチストッパ４ａとの接触を検出すると、システム制御部１６は、第１メモリ１７に記憶した接触回数を確認し、接触回数が１回の場合は、「キャンセル」処理を実行する。接触回数が２回以上の場合は、不適切な処理が行なわれたと判断し、「決定」処理も「キャンセル」処理も実行しない。この時、表示部１４に、「決定」処理も「キャンセル」処理も実行しない旨を表示する。
【００４５】
上述した例では、検出部７がスイッチストッパ４ａとの接触を検出した時点で、「キャンセル」処理を実施したが、その時点で、「キャンセル」処理を実行せず、代わりに、検出部７がスイッチストッパ４ａと接触したことを、第２メモリ１８に記憶し、２段階スイッチが第１段階に達した後所定時間が経過した時に、第１メモリ１７と第２メモリ１８の接触回数を確認して、「決定」処理を実行するか、「キャンセル」処理を実行するか、あるいは、不適切な操作があったと判断して、「決定」処理も「キャンセル」処理も実行しないようにしてもよい。
【００４６】
また、検出部６とスイッチストッパ４ａとの接触回数ではなく、接触があったことを第１メモリ１７に記憶しておき、引き続いて検出部６とスイッチストッパ４ａとの接触を検出した時に、「決定」処理も「キャンセル」処理も実行しないようにしてもよい。この時、表示部１４に、「決定」処理も「キャンセル」処理も実行しない旨を表示する。
【００４７】
尚、検出部６と検出部７が、電気接点を用いた電気的なセンサの場合は、チャタリングにより、接触回数を誤って検出する可能性があるので、抵抗とコンデンサを用いたＣＲ回路等を用いて、チャタリング対策を行なう必要がある。
【００４８】
上述した実施例では、１つのキーの押下で、「決定」処理と「キャンセル」処理を選択して実行できる実施例を示したが、「決定」処理と「キャンセル」処理以外の処理を選択する場合にも適用できる。
【００４９】
図６は、本発明による電話機のさらに他の実施例の処理過程を示したフロチャートであり、上述した実施例のように「決定」処理と「キャンセル」処理を選択して実行するのではなく、従来の２段階スイッチと同様に、２つの機能を連続実行できる。この実施例は、図２あるいは図５と同じ構成で動作し、以下の説明は、図２の構成での処理過程の場合について説明するが、図５の場合についても同様に動作する。２段階スイッチが、押下されていない初期状態から（ステップＳ１１）、２段階スイッチが第１段階まで押下され、検出部６が、第１段階スイッチストッパ４の接触を検知すると（ステップＳ１２）、システム制御部１６は、入力部１５から入力されたデータを第１メモリ１７に格納し（ステップＳ１３）、格納した入力されたデータに対して第１の処理を実行する、例えば、入力されたデータをユーザに確認させるために表示部１４に表示する（ステップＳ１４）。次に、２段階スイッチが、所定時間内に第２段階まで押下されたか否か判断する（ステップＳ１５）、押下されていなければ、第１メモリ１７を初期化して終了する（ステップＳ２０）。
【００５０】
２段階スイッチが、更に、第２段階まで押下され、検出部６が、第２段階スイッチストッパ５の接触を検知すると（ステップＳ１６）、システム制御部１６は、第１メモリ１７に格納されているデータを読み出して第２メモリ１８に格納し（ステップＳ１７）、第２メモリ１８に格納されたデータに対して第２の処理を実行、例えば、ユーザにより確認された入力されたデータに対する処理を実行した後（ステップＳ１８）、第１メモリ１７と第２メモリ１８を初期化して終了する（ステップＳ１９）。これにより、１つのキーの押下で、２つの機能を連続実行できる。
【００５１】
以上、携帯電話機やＰＨＳ等の電話機に本発明を適用した実施例を説明したが、テレビやビデオテープレコーダ等のリモートコントローラなどのように、片手で持った状態で操作されるキーにも適用できる。
【００５２】
【発明の効果】
本発明によれば、電話機の十字キーの中央部の機能キーに、２段階スイッチを用いることにより、指を移動させることなく、１つのキーの押下動作で、迅速かつ確実に、異なる機能を選択して実行できる。さらに、１つのキーで２つの機能を選択できるので、電話機のキーの数を減らすことができる。
【００５３】
また、２段階スイッチを用いて、指を移動させることなく、１つのキーの押下動作で、２つの機能の連続実行も可能であり、この２段階スイッチは、異なる機能の選択、あるいは、２つの機能の連続実行といった２つの処理形態に適用することができる。
【図面の簡単な説明】
【図１】本発明による十字キー中央部に配設された２段階スイッチの一実施例を示す図である。
【図２】本発明による２段階スイッチの一実施例の断面と周辺回路のブロック図である。
【図３】本発明による電話機の一実施例のブロック図である。
【図４】本発明による電話機の一実施例の処理過程を示したフロチャートである。
【図５】本発明による２段階スイッチの他の実施例の断面と周辺回路のブロック図である。
【図６】本発明による電話機のさらに他の実施例の処理過程を示したフロチャートである。
【符号の説明】
１…十字キー、２…２段階スイッチ釦、３…スイッチ軸、４…第１段階スイッチストッパ、４ａ…スイッチストッパ、５…第２段階スイッチストッパ、６、７…検出部、８…ばね、９…スイッチ壁、９ａ…スイッチ底、１０〜１３…接点保持部材、１０ａ〜１３ａ…接点、１４…表示部、１５…入力部（２段階スイッチを除く）、１６…システム制御部、１７…第１メモリ、１８…第２メモリ、１９…入出力回路、２０…２段階スイッチ。
【図１】
2004362316.tif 000003
【図２】
2004362316.tif 000004
【図３】
2004362316.tif 000005
【図４】
2004362316.tif 000006
【図５】
2004362316.tif 000007
【図６】
2004362316.tif 000008